(57)【要約】【課題】装置の部品側の反対側にいる顧客にサービスを行うため、出金部を設けて、安全な収容部から現金を搬送し、右側または左側の出金口に搬送する【解決手段】本発明は、互いに離れた複数の出金位置において、２人以上の顧客が１度に出金位置に位置して出金することができるように、出金部とその方法を開示する。出金部は、単一の出金スロットで現金を受け取るための安全な収容部に取り付けられ、２つの出金位置のどちらか１つにおいて紙幣を直線的に再配置を行なう回転機構と、出金スロットから紙幣を引き出し、出金位置に位置することができる２人以上の顧客に、２つの出金位置のどちらか１つにおいて紙幣を引き延ばす直線可動部とを備えることを特徴とする。【選択図】図２
2009536758.tif 000002
【特許請求の範囲】
【請求項１】
出金用の出金スロットを１つだけ有する安全な収納部上の部品であり、少なくとも２つの出金位置のうちのどちらか１つと１直線に紙幣を再配置する出金装置において、
単一の前記出金スロットから紙幣を回収する直線可動部と、
２つの前記出金位置のうちのどちらか１つの近傍に円運動で紙幣を搬送する回転部とを備え、
前記直線可動部が伸長して、２つの前記出金位置において紙幣を出金でき、それにより、前記出金装置の反対側にいる少なくとも２人が前記出金位置において出金可能であることを特徴とする出金装置。
【請求項２】
前記回転部が、単一の前記出金スロットにおいて、開始位置を含み360°の円回転で旋回可能であり、360°のどの位置においても位置することができることを特徴とする請求項１に記載の出金装置。
【請求項３】
２つの前記出金位置は、回転円の中心を通る前記出金装置の回転軸間に延びる軸に対して120°と240°に位置することを特徴とする請求項２に記載の出金装置。
【請求項４】
前記出金位置は、前記安全な収納部から前方に延びる前記出金装置のハウジングの右側及び左側に前記出金口を備えることを特徴とする請求項３に記載の出金装置。
【請求項５】
２つの前記出金位置は、回転円の中心を通る前記出金装置の回転軸から延びる軸に対して90°と270°に位置することを特徴とする請求項２に記載の出金装置。
【請求項６】
回転円の中心を通る前記出金装置の回転軸間に延びる軸に対して180°に位置する第３の出金位置をさらに備えることを特徴とする請求項５に記載の出金装置。
【請求項７】
前記出金位置は、前記安全な収納部から前方に延びる前記出金装置のハウジングの右側及び左側に前記出金口を備えることを特徴とする請求項５に記載の出金装置。
【請求項８】
スライドドアは、前記出金装置のハウジングの右側及び左側にある前記出金口を開閉するように設けられることを特徴とする請求項７に記載の出金装置。
【請求項９】
前記出金装置のハウジングに一体化された画像表示装置を更に備えることを特徴とする請求項７に記載の出金装置。
【請求項１０】
前記安全な収容部は、カウンターに設置され、
前記カウンターは、前記カウンターの１側面から外側に向いている出金部と、顧客が前記出金位置から近づけないように、前記カウンターの反対側から外側に向いている前記安全な収容部へのドアとを備えることを特徴とする請求項１に記載の出金装置。
【請求項１１】
前記安全な収容部の単一の前記出金スロットは、上方に向かって開き、前記出金位置に自由に近づける人に対して最も近い前記安全な収容部の一端に向かって位置することを特徴とする請求項１に記載の出金装置。
【請求項１２】
前記安全な収容部の単一の前記出金スロットは、上方に向かって開き、前記出金位置に自由に近づける人に対して最も遠く、カウンター内に位置する前記安全な収容部の一端に向かって位置することを特徴とする請求項１に記載の出金装置。
【請求項１３】
前記安全な収容部の出金口で出される複数の積み重なった紙幣を把持する把持機構を備え、
前記把持機構は、スライド機構の一部として、直線可動であり、
前記スライド機構は、旋回キャリッジ機構の一部であることを特徴とする請求項１に記載の出金装置。
【請求項１４】
前記安全な収容部からユニットとして取り外し可能であることを特徴とする請求項１に記載の出金装置。
【請求項１５】
単一の出金スロットの安全な収容部を複数の出金口を有する現金支払機に変更する方法において、
前記安全な収容部の前記出金口で出される複数の積み重なった紙幣を把持するステップと、
直線方向に移動するスライド機構を用いて、前記複数の積み重なった紙幣を回収するステップと、
単一の前記出金スロットの開始位置から360°の円周上の複数の位置に対して、前記スライド機構を旋回するステップと、
複数の前記出金口の１つを経て紙幣を出金するために、前記スライド機構を直線方向に伸ばすステップとを備えることを特徴とする変更方法。
【請求項１６】
前記出金口以外に顧客が紙幣を触れないように、出金部の筐体内に前記スライド機構を取り囲むステップを更に備えることを特徴とする請求項１５に記載の変更方法。
【請求項１７】
出金部の筐体の長手方向軸の右側及び左側に設置される前記出金口を有するカウンターから前方に延びる前記出金部の筐体を有する前記カウンターに、前記安全な収容部を据え付けるステップを更に備えることを特徴とする請求項１５に記載の変更方法。
【請求項１８】
搬送のために前記紙幣を把持する前に、前記積み重なった紙幣は回転することで、片側に寄せられるステップをさらに備えることを特徴とする請求１５に記載の変更方法。
【請求項１９】
前記出金口の１つに前記紙幣を放す前に、前記複数の積み重なった紙幣を直立位置に回転するステップをさらに備えることを特徴とする請求１８に記載の変更方法。
【請求項２０】
１度に２人以上が出金位置に位置することができるように、互いに離れた複数の前記出金位置において出金し、
現金を収容し、単一の出金スロットから出金する安全な収容部と、
単一の前記出金スロットにおいて前記現金を収容し、２つの前記出金位置のどちらか１つにおいて再配置を行う前記安全な収容部上に設けられた出金装置とを備え、
前記出金装置は、外側に向かって、出金位置に位置することができる２人以上のいずれかの人に対して、２つの前記出金位置のどちらか１つに、現金を搬送する直線可動部を備えることを特徴する現金支払機。
【発明の詳細な説明】
【技術分野】
【０００１】
２００６年３月２９日に出願された米国仮特許出願第６０／７８６９１５号に基づく優先権の利益を本明細書において主張する。    
【０００２】
本発明の技術分野は、金融業及び小売業で使用される型の安全な現金支払機と現金預け払い機用金庫に関するものである。
【背景技術】
【０００３】
そのような装置の例は、「Benchmark Series（登録商標）7」という商品名の現金自動支払機システムが本明細書の譲受人により商業的に提供されている。上記商品の内部装置の説明が、２００３年７月２２日にGunstに発行された米国特許第６５９５６０６号に、されている。機械上部の上向きに開口した出金スロットから、紙幣が出てくる。
【０００４】
１９８６年１月１４日にGranzowらに発行された米国特許第４５６４１２２号及び１９８６年３月２５日にPlackeらに発行された米国特許第４５７７７６３号には、右側の支払機または左側の支払機に紙幣を出す機能を有する銀行用現金端末装置が開示されている。右側または左側への移動以前の現金引き出し器から前方への移動はない。
【０００５】
Graefの米国特許公開第ＵＳ２００４／０１７８５６８号では、ATMの現金払いカセットが開示されている。そのカセットでは、左右への紙幣の動きは行わない。
【特許文献１】米国特許第６５９５６０６号
【特許文献２】米国特許第４５６４１２２号
【特許文献３】米国特許第４５７７７６３号
【特許文献４】米国特許公開第ＵＳ２００４／０１７８５６８号
【発明の開示】
【発明が解決しようとする課題】
【０００６】
本発明は、顧客サービスの分野で使用する、現金支払機のユニットの改良に関するものである。特に、装置の部品側の反対側にいる顧客にサービスを行うため、出金部を設けて、安全な収容部から現金を搬送し、右側または左側の出金口に搬送することを特徴とする。
【課題を解決するための手段】
【０００７】
本発明により、現金が右または左に搬送される前に、現金引出部から搬送される。出金部は、従来の現金支払いスロットから札束を受け取り、回転軸周りに360°以下の回転を行い、複数の支払場所において紙幣を出すことが可能である。さらに、回転することで、札束が、回転軸から軸方向に進み、複数の支払場所において紙幣を出すことができる。一般的に、現金支払機のユニットの一部の周囲に筐体があり、そのため、出金位置だけが、顧客から利用可能となっている。
【０００８】
現金支払機のユニットは、金融業または小売業の顧客により、片側から利用可能である。この装置は、様々な数の出金位置を有する、補助装置なしの構成及び補助装置付きの構成の両方が可能である。窓口係は、現金が詰まった場合に、現金支払機の堅牢な金庫部から出金領域にアクセスして、現金の詰まりを取り除くことが可能であるが、顧客にはそのようなことをすることを認めていない。
【０００９】
本発明の他の目的及び利点は、上述した点に加え、当業者にとって、次に説明する好適な実施形態から明らかである。詳細な説明において、本明細書の一部をなし、本発明の例を図示する、添付された図面は、参照される。
【発明を実施するための最良の形態】
【００１０】
銀行、信用金庫、信用組合や他の金融機関、スーパーマーケット、小売店、ゲーム業界、または相当量の現金を取り扱う場所において、セルフサービス分野で使用される本発明によると、図１は、改良された安全な現金自動支払機として周知である現金自動支払機10を示している。よく知られた安全な現金自動支払機の１つのタイプは、出金のために、ほとんどの場合は紙幣を顧客が引き出せるように、ドライブ式の窓口を有する銀行において使用される。これらの現金自動支払機は、セキュリティのレベルに応じて、現金支払金庫または現金支払機と呼ばれることもある。そのため、金庫のように、堅牢でロックされた筐体であり、金庫破りにも耐え、内部にある相当量の現金への不法なアクセスに対して安全性を提供する。
【００１１】
このような装置の例は、「Benchmark Series（登録商標）7」という商品名の現金自動支払機システムが本明細書の譲受人により商業的に提供されている。記商品の内部装置の説明が、２００３年７月２２日にGunstに発行された米国特許第６５９５６０６号に、されている。
【００１２】
図１に示される従来技術の例のように、車輪付き現金引出部20は、例えば米国では、１＄、５＄、10＄、20＄、50＄及び100＄など通貨単位で現金引出部内に保持するための、複数の現金引出区画22を有する。現金引出部が空の場合、現金支払機10のドア12を開け、車輪付き現金引出部20を引出位置に引き出すことで、現金引出区画22に現金を詰めて、その現金引出区画22を車輪付き現金引出部20に挿入することができる。車輪付き現金引出部20を筐体11に転がし入れ、ドア12を閉めて施錠できる。現金支払機10は、カナダドル、イギリス通貨、及びユーロも取り扱えるようにすることもできる。当然であるが、全世界の様々な通貨を取り扱うことも可能である。
【００１３】
図１のように、ドア12の施錠が解かれ、ドア12が開いていると、車輪付き現金引出部20を見ることができる。車輪付き現金引出部20は、床上を自身で転がるために１対の前輪21を備える。出金スロットの枠であるベゼル15と、出金スロット内の出金機構16とは、ドア12近傍の現金支払機の端に位置し、筐体11の上部面の凹部に収容されている。前輪21は、前方に車輪付き現金引出部20を引出位置へ引っ張り出し、出金動作のため筐体11の内部に戻すための補助を行う。
【００１４】
車輪付き現金引出部20は、水平に設置されている上部材24と、垂直に設置されている２つの相隔たった前部材25とを備えるフレーム23に取り付けられている。前輪21は、車軸26により、前部材25の下端に取り付けられている。前部材25は、横材29により、補強されている。
【００１５】
出金機構16を有する現金支払機10の動作制御用のモーターと電子部品とを備える電子制御部27は、車輪付き現金引出部20の前方の現金引出区画22の前に位置する。電子制御部27は、現金引出区画22の通貨単位を設定するためのダイアル（図示していない）を有することができる。
【００１６】
車輪付き現金引出部20の上部に、２つのスライド部材28が、相隔たった上部材24近傍の反対側に取り付けられている。これらのスライド部材28は、２つの引出形スライド部の部品であり、それぞれは１対の補助スライド部材を有する。スライド部品には、ベアリングがあり、スライド部材28の間に設けられている。スライド部品のその他のスライド部材は、スライド部材28を収容するために筐体内部に位置する。また、他の構造に関して、周知または図に示される安全な現金支払機に設けられている筐体上部のスロットから現金を取り出す機構も、用いることができる。
【００１７】
本発明は、妥協のない安全性を有する既存のTCD Series 7（登録商標）現金自動支払機30に取り付け可能なモジュール出金部のいくつかの実施形態31, 50, 51を提供する。出金部31, 50, 51は、出口センサー信号を感知し、紙幣が顧客の前に出て来るまで、その信号をブロックしておくこくで、現金支払い電子部品と相互作用する。紙幣は、現金支払機30の単一出金スロット38から排出され、アクセスドアを有することができる新規な多重出金スロットの１つに移動される。各出金部31, 50, 51は、現金支払機30から独立した、自身の電源、電子制御装置、及びソフトウェアシステムを備える。出金部31, 50, 51は、据え付け位置で組み立てられるように設計されるか、または新しく開発され組み込まれる部品として設計される。また、出金部31, 50, 51は低いため、顧客カウンター40の下に収まり、必要であれば、この用途において、7.62〜10.16センチメートルを超えない高さの範囲に収まる。
【００１８】
図２は、２人の顧客Ｃが使用する顧客カウンター40に据え付けられた、本発明の出金部51を有する現金支払機30の概略図である。現金支払機30のドア32は、顧客カウンター40の後ろの従業員のみ開閉可能である。出金スロット38と出金ベゼル61とは、反対端に向けて設置され、顧客Ｃに向けられる。回転運搬機構52は、札束を受け入れて、ベゼル59, 60により規定される顧客支払い位置に札束を移動するように設けられている。
【００１９】
図３は、２人の顧客Ｃに使用されるモジュール式出金部51が示されている。また、安全な現金支払機30の筐体11を超えて延びるように、回転運搬機構52の支持体62も示されている。図４は、モジュール式出金部51が、２人の顧客が使用する出金スロット38に対して逆向きとなる、セルフサービス構成が示されている。図４では、札束が、安全な現金支払機30の長手端に向かって出金スロット38から出て来るので、ベゼル61は、安全な現金支払機30のさらに離れた端に向き、支持体62は、逆向きとなる。出金スロット38は、安全な現金支払機30の筐体11に設けられたドア34を有する端近傍にある。このセルフサービス構成は、図２１で示される３台の現金支払機構成のような、出金位置を追加する場合に適している。
【００２０】
図２０〜図２４では、ベゼル56, 57, 59, 60は、顧客用の支払い位置において用いられる汎用な商用備品と一体化するように設計される。ベゼル56, 57, 59, 60は、開口部に何もないか、または取り出す現金があるかを示す指示ライトにより提供可能である。また、警報音は、現金がある場合の合図として使用されるか、または現金を取り出したことの確認のために使用される。所定の時間経過後に、例えば20秒後に、ベゼルスロットから紙幣を回収し、モジュール式出金部51の内部に戻すことができる。不正開閉検出付きの可動安全ドアは、ベゼル56, 57, 59, 60により規定される出金スロットにおいて使用可能である。安全な現金支払機30とモジュール式出金部51とは、モジュール式出金部51の出金スロット以外の設備を完全に覆われて、キオスク周辺に設置可能である。
【００２１】
タッチスクリーン39、キーボード、マウス及び他の入出装置などの他のユーザーインターフェース設備は、キオスクまたは図２に示される顧客カウンター40に、１度に２人の顧客に対してサービスできるように、現金支払機30の反対側に据え付けられる。
【００２２】
図１０〜図１４では、図１０は、従来技術における出金スロット38の詳細図であり、図１１〜図１４は、札束を取り扱うために、キャリッジ49と回転運搬機構52の好適な実施形態とを追加する前後の図である。図１１には、出金スロット38から出て来るキャリッジ49が示されている。図１２には、キャリッジ49が90°回転して紙幣を水平に差し出す図が示されている。また、キャリッジ49が、水平方向に札束を移動させるスライド機構49aと、顧客が紙幣を取り出すまで紙幣を伸ばしておくための指部49bとを備えることが示されている。図１３には、キャリッジ機構49に追加された回転運搬機構52が示されている。この回転運搬機構52は、キャリッジ49と三角形を形成する２つのアームを備える。図１４には、安全な現金自動支払機30に追加されるモジュール式出金部51用の筐体部である支持体62を有する、モジュール式出金部51の概略図が示されている。モジュール式出金部51は、札束48を、出金スロット38から時計回りに120°の第１位置においてベゼル59により規定される出金口か、または出金スロット38から時計回りに240°の第2位置においてベゼル60により規定される出金口に移動するための回転運搬機構52を備える。回転運搬機構52は、出金位置に達するように、時計回りまたは反時計回りのいずれかに移動可能である。適切な角度に達すると、スライド機構49が起動され、それぞれベゼル59, 60を通して顧客に札束が差し出される。顧客は、摩擦グリップを有する指部49bから札束を引き出し、紙幣を取り除く時間を有する。
【００２３】
図１５〜１９は、図２〜図４及び図１０〜図１４に関連して説明されたような本発明のモジュール式出金部51を用いる、フルサービスの現金支払機30の可能な構成を５つ示している。これらの構成において、Ｔは窓口係またはオペレーター、Ｃは顧客を表す。出金機構は、セルフサービス操作で使用される如何なる自動操作のタイプとも対照的に、窓口係Ｔにより制御される。図１５は、回転運搬機構52の軸58が、出金スロット38から180°回転する動作モードを示している。図１６は、安全な現金支払機の筐体の出金スロットから軸58を120°と240°回転する位置において、出金口を規定する現金支払いベゼル65, 66を示している。図１７は、２人のそれぞれの顧客Ｃ用の出金口が規定するベゼル56, 57が、安全な現金支払機の筐体の出金スロット38に関する軸58の時計回りに90°及び270°に設置される、動作モードを示している。図１８は、窓口係Ｔに関して、回転運搬機構52の長手方向軸58から、出金位置が+45°及び-45°に位置する構成を示している。図１９は、窓口係Ｔに関して、回転運搬機構52の長手方向軸58が規定する０°の位置から、出金位置が90°及び270°に位置する構成を示している。この構成において、窓口係Ｔは、現金を受け取り、窓口からまたはカウンター越しに顧客Ｃに現金を手渡しする。これらの構成において、回転運搬機構52は、出金位置に達するように、時計回りまたは反時計回りのいずれかに移動可能である。
【００２４】
図２０〜図２４は、セルフサービスで顧客Ｃに現金を渡す各種の構成を示している。図２０は、回転運搬機構52の長手方向軸58が規定する０°の位置から90°と270°回転した、それぞれ２つの出金位置を示している。図２１は、札束48の取出位置から180°回転した位置である第３出金位置を示している。図２２は、回転運搬機構52の長手方向軸58が規定する０°の位置から、３つのベゼル64, 70, 71が、３つの出金位置である、90°、225°及び315°回転した位置であることを示している。図２３は、ベゼル72〜75を示しており、４つの各ベゼルは、札束48を置くための、回転運搬機構52の長手方向軸58が規定する０°の位置から、時計回りに60°、120°、240°及び300°回転した位置にある。図２４は、ベゼル76〜81を示しており、５つの各ベゼルは、回転運搬機構52の長手方向軸58が規定する０°の位置から、時計回りに60°ごとに回転した位置にある。これらの構成において、回転運搬機構52は、出金位置に達するように、時計回りまたは反時計回りのいずれかに移動可能である。
【００２５】
本発明の第２実施形態は、出金部50として、図５〜図９に示されている。札束48は、現金支払機30から出金スロット38を経て出て来るようになっている。出金部50は、第１に、キャリッジ機構49が札束の２つの側面を離せるように掴むように、把持を行う。出金部50は、キャリッジ機構49の延長及び収縮を行うために、アクチュエーターアーム53を有する。このアクチュエーターアーム53と札束48とは、360°の円周上を移動可能である。次の第６図を参照すると、札束48は、自身の長手方向軸周囲を90°回転可能であるため、札束48をオペレーターまたは顧客に対して、水平に差し出すことができる。これは、出金スロット38から外に出ているキャリッジ機構49の部分を回転させるために、キャリッジ機構49とモーターとを接続することで実現することができる。
【００２６】
図７は、札束48が、アクチュエーターアーム53が120°回転することで移動され、札束がオペレーターまたは顧客に差し出される前に、現金自動支払機30内において、水平に保持される。次に、図８に示すように、アクチュエーターアーム53が伸びて、札束48が
安全な現金支払機30に据え付けられたカバー55の開口部を通って移動する。ドア（図示せず）は、紙幣がない場合に、開口部を閉じることに使用可能である。他の開口部は、360°の円周上に配置可能である。図９は、安全な現金支払機30の両側にある２つの出金位置56a, 57aに、札束48を90°または270°移動する例を示している。上記の例において、所定の時間内に現金が取り出されなければ、アームは、安全な現金支払機30内のエラー位置に戻れるか、タイミング良く機械から取り出されなければ、現金を収容するために、安全なダンプコンテナーに戻される。
【００２７】
本発明の別の実施形態では、図２５に示されるように、新しい出金部31は、安全な現金支払機30のドア34が取り付けられた一端33の反対側である、筐体32の端の方に設けてある。現金支払機30の内部装置は、上述した従来技術のような引出部品を備える。出金部31は、反対端から延びる出金ハウジング35を備える。出金ハウジング35の上部には、筐体32の長手方向軸に対して90°反対方向に向いている画像表示装置36または広告がある。出金ハウジング35は、画像表示装置36と同じ方向に向いている側とは反対側に、取出口37を有するので、現金支払機30の反対側にいる顧客に対してサービスを行えるように、右側または左側のいずれかに札束を差し出すことができる。
【００２８】
図２６に示されるように、安全な現金支払機30は、顧客カウンター40の外側に延びている出金ハウジング35だけで顧客カウンター40に据え付けられている。現金支払機の筐体32は、ほとんどの部分が顧客カウンター40に隠れており、顧客カウンター40の後側から開閉可能なドア34を有する。顧客カウンター40の前側へのアクセスを制限するために、顧客カウンター40の前側と後側との間に、壁またはパーティション（図示なし）があってもよい。
【００２９】
図２７に示されるように、出金部31の出金ハウジング35が外されると、札束44は、現金支払機30の現金支払いスロット38を通って、上方へ移動され、指状把持機構45により保持され、さらに適当な位置に合わせられることで、動力ベルト43の補助により、１対のほぼ水平な軌道42に沿って前方に移動する。横方向スライド機構41は、文字通り前方の第１方向に対してスライドすることで、出金ハウジング35の取出口37に対して右側または左側のいずれかに札束を移動する。
【００３０】
右方向もしくは左方向への移動、または回転運動の結果による移動の前に、出金スロットからの前方移動を行う。この移動は、現金支払機30が据え付けられている顧客カウンター40を片付けることと、少なくとも２人の顧客に対してそれぞれの場所でのサービス提供とに有効である。
【００３１】
本明細書では、単一スロットの安全な現金支払機に対する拡張機能として設けることが可能な出金部31, 50, 51である、多重スロットに関するものである。これにより、現金運搬機構の回転軸の周囲360°にいる顧客に対して都合の良い位置に、現金支払用の単一出金スロットから多重出金スロットに拡張される。このことで、顧客の金融取引を取り扱うセルフサービスモードまたは補助モードで、さらに多くの顧客に対してサービスを行うことができる。
【００３２】
本明細書は好適な実施形態の説明であるが、本発明の技術範囲及び技術思想から逸脱せずに、これら特定の実施形態の詳細を変更することは、当業者にとって明らかなことである。そのため、このような変更は、請求の範囲により網羅されることを目的としている。
【図面の簡単な説明】
【００３３】
【図１】従来の安全な現金支払機の斜視図である。
【図２】本発明に係る出金部を用いる現金支払機の上面図である。
【図３】図２に関する現金支払機の斜視図である。
【図４】図２に関する第２実施形態の現金支払機の斜視図である。
【図５】本発明の出金部に関する他の実施形態（１）の詳細な斜視図である。
【図６】本発明の出金部に関する他の実施形態（２）の詳細な斜視図である。
【図７】本発明の出金部に関する他の実施形態（３）の詳細な斜視図である。
【図８】図５、図６及び図７に関する出金部の他の実施形態（１）の斜視図である。
【図９】図５、図６及び図７に関する出金部の他の実施形態（２）の斜視図である。
【図１０】従来の出金スロットの斜視図である。
【図１１】本発明の出金部に関する好適な実施形態（１）の詳細な斜視図である。
【図１２】本発明の出金部に関する好適な実施形態（２）の詳細な斜視図である。
【図１３】本発明の出金部に関する好適な実施形態（３）の詳細な斜視図である。
【図１４】本発明の出金部に関する好適な実施形態（４）の詳細な斜視図である。
【図１５】本発明に係る安全な現金支払機の異なる構成における図１１〜図１４の出金部に関する様々な配置（１）の上面図である。
【図１６】本発明に係る安全な現金支払機の異なる構成における図１１〜図１４の出金部に関する様々な配置（２）の上面図である。
【図１７】本発明に係る安全な現金支払機の異なる構成における図１１〜図１４の出金部に関する様々な配置（３）の上面図である。
【図１８】本発明に係る安全な現金支払機の異なる構成における図１１〜図１４の出金部に関する様々な配置（４）の上面図である。
【図１９】本発明に係る安全な現金支払機の異なる構成における図１１〜図１４の出金部に関する様々な配置（５）の上面図である。
【図２０】本発明に係る安全な現金支払機の異なる構成における図１１〜図１４の出金部に関する様々な配置（６）の上面図である。
【図２１】本発明に係る安全な現金支払機の異なる構成における図１１〜図１４の出金部に関する様々な配置（７）の上面図である。
【図２２】本発明に係る安全な現金支払機の異なる構成における図１１〜図１４の出金部に関する様々な配置（８）の上面図である。
【図２３】本発明に係る安全な現金支払機の異なる構成における図１１〜図１４の出金部に関する様々な配置（９）の上面図である。
【図２４】本発明に係る安全な現金支払機の異なる構成における図１１〜図１４の出金部に関する様々な配置（１０）の上面図である。
【図２５】出金部の筐体を示している現金支払機の斜視図である。
【図２６】カウンターまたはアイランドにおける図２５の現金支払機を取り付けた場合の斜視図である。
【図２７】出金部の詳細を示ために部品を取り除いた、図２５及び図２６の現金支払機の図である。
【符号の説明】
【００３４】
20              車輪付き現金引出部
30              現金支払機
31, 50, 51      出金部
38              出金スロット
40              顧客カウンター
49              キャリッジ
52              回転運搬機構
【図１】
2009536758.tif 000003
【図２】
2009536758.tif 000004
【図３】
2009536758.tif 000005
【図４】
2009536758.tif 000006
【図５】
2009536758.tif 000007
【図６】
2009536758.tif 000008
【図７】
2009536758.tif 000009
【図８】
2009536758.tif 000010
【図９】
2009536758.tif 000011
【図１０】
2009536758.tif 000012
【図１１】
2009536758.tif 000013
【図１２】
2009536758.tif 000014
【図１３】
2009536758.tif 000015
【図１４】
2009536758.tif 000016
【図１５】
2009536758.tif 000017
【図１６】
2009536758.tif 000018
【図１７】
2009536758.tif 000019
【図１８】
2009536758.tif 000020
【図１９】
2009536758.tif 000021
【図２０】
2009536758.tif 000022
【図２１】
2009536758.tif 000023
【図２２】
2009536758.tif 000024
【図２３】
2009536758.tif 000025
【図２４】
2009536758.tif 000026
【図２５】
2009536758.tif 000027
【図２６】
2009536758.tif 000028
【図２７】
2009536758.tif 000029
【国際調査報告】
2009536758.tif 000030
2009536758.tif 000031